(57)【要約】      （修正有）【課題】通電用回転ブラシを排除すると共に、軸受部の焼き付け現象を伴わない回転式シールローラの提供。【解決手段】製袋充填包装機の機台２０に固定し且つ軸線を縦方向に平行配列した一対の軸受２１それぞれに、アルミニュームなどの非磁性材料により形成する軸２２をボールベアリングを介して支持すると共に、各軸それぞれに鋼鉄製ローラ１４をキー２３でもって固定し、さらに各軸２２の回りに配置した環状の非磁性金属製の支持台２４を機台２０の上面に固定すると共に、各支持台上の、両ローラ１４下面との対向部それぞれに誘導コイル２５を配置する。電磁誘導加熱装置と接続する誘導コイル２５は、その共振により対向する鋼鉄製ローラ１４が発熱するように機能し、この両ローラ１４で挟圧する２枚の熱可塑性フイルムを溶着する。【選択図】図１
0003113049.tif 000002
【実用新案登録請求の範囲】
【請求項１】
長手方向に沿って移動する帯状フイルムをフオーマを通して丸め、同時に同フイルムをチューブ化するために、その両側合掌縁を一対の回転ローラ間で挟圧加熱して溶着する包装機のシール機構であって、該機構は、磁性金属により形成した前記両ローラを、非磁性材料製の軸を介してそれぞれ機台に支持すると共に、前記両ローラの下側において、前記機台に固定した非磁性材料製の支持台の上部に、電磁誘導加熱機器における誘導コイルを配置して構成するシール装置。
【請求項２】
支持台のローラとの対向面における誘導コイルを、前記ローラの軸の回りに渦巻き状に配置した請求項１に記載の装置。
【考案の詳細な説明】
【技術分野】
【０００１】
本考案は、帯状フイルムを長手方向に沿って筒状に丸めながら、同チューブフイルム内に等間隔で充填する各被包装物を隔離密封するように作用する製袋充填包装機において、前記の筒状に丸められるフイルムの両側縁合掌部分を溶着するシール装置に関する。
【背景技術】
【０００２】
製袋充填包装機においてプラステイック製帯状フイルムを長手方向に移送しながらチユーブ化するとき、チューブ化した当該フイルムの両側合掌縁を、回転する一対のヒータロールで挟圧シールするのが最も能率的であり、下記特許文献に示すように、従来のこの種ロールはその内部にニクロム線を埋め込み、当該ニクロム線への通電により前記ロータを輻射加熱してフイルムを溶着する構造である。従って前記のヒータロールは、電源部との間に通電用の回転ブラシの設置が不可欠で、また同ロータの軸受部に前記ヒータ熱が影響を与えて軸受部を焼き付かせるので、その予防手段の組み込みも不可欠という問題があった。
【０００３】
【特許文献１】特開平１１−３４８９３４号公報
【考案の開示】
【０００４】
そこで本考案は、電源部との間の通電用回転ブラシを排除し且つまたロータ軸受部への熱影響のないシール装置を構成するものであって、長手方向に沿って移動する帯状フイルムをフオーマを通して丸め、同時に同フイルムをチューブ化するために、その両側合掌縁を一対の回転ローラ間で挟圧加熱して溶着する包装機のシール機構であって、該機構は、磁性金属により形成した前記両ローラを、非磁性材料製の軸を介してそれぞれ機台に支持すると共に、前記両ローラの下側において、前記機台に固定した非磁性材料製の支持台の上部に、電磁誘導加熱機器における誘導コイルを配置して構成する。
【０００５】
支持台に設置する電磁誘導加熱機器の誘導コイルは、誘導電気回路の共振により空間を隔てて鋼鉄などの磁性金属製のローラを加熱し、フイルム両側合掌縁に該ローラ発生熱を加え且つ他側のロータとの間で溶着する。この場合前記ローラを支持する軸はアルミニューム又はステンレス等の非磁性材料製であるので、同軸の発熱をなくし、同軸を機台に支持する軸受への熱影響を防止すると共に、機台と一体の支持台に配置する誘導コイルは回転しないので、ニクロム線のように直接電流を供給する回転ブラシの設置がなくなる利点がある。
【０００６】
なお磁性金属製ローラを支える軸は、前記ローラとの間に非磁性の不電導体を介設しておれば必ずしも非磁性材料製でなくてもよく、従ってかかる構成の場合も非磁性軸と定義する。
【実施例１】
【０００７】
図2に示す製袋充填包装機は、フオーマ１０後方の挟持ベルト１１によって帯状フイルム１２を前記フオーマ１０を通して引き出すことにより、前記フイルム１２は連続的に丸まるが、この場合前位一対のローラ１３は前記フイルム１２の両側縁を合掌に重ね合せ、後位一対の加熱ローラ１４が前記合掌縁を溶着してフイルムをチューブ化するので、フオーマ１０の入口側から前記チューブフイルム内に被包装物を等間隔に搬入すると、一対のクロスシーラ１５は各被包装物１６を１個づつ隔離して密封するように作用する。
【０００８】
前記図２の断面を示す図１は、包装機の機台２０に固定し且つ軸線を縦方向に平行配列した一対の軸受２１それぞれに、アルミニュームなどの非磁性材料により形成する軸２２をボールベアリングを介して支持すると共に、該各軸それぞれに前記の鋼鉄製ローラ１４をキー２３でもって固定し、さらに前記各軸２２の回りに配置した環状の非磁性金属製の支持台２４を前記機台２０の上面に固定すると共に、前記各支持台上の、前記両ローラ１４下面との対向部それぞれに誘導コイル２５を配置するもので、一側の軸に固定する傘歯車２８からの入力は、第二噛み合う２個の平歯車２９を介して前記両軸２２を回転し、一対のローラ１４を相対方向に連動するのである。
【０００９】
一般に電磁誘導加熱機器の電気回路は、３相電源から変圧器及び整流器を介して直流電圧を供給すると、この電圧は中間回路におて平滑化され、次いで高周波トランジスタ変換機によってパルス交流電圧に変換し、変換回路から誘導コイルに導かれ、同誘導回路と変換回路とで共振回路を形成する。従って電磁誘導加熱機器の電気回路と繋がる図１における誘導コイル２５は、その共振により対向する鋼鉄製ローラ１４が発熱するように機能する。かかる発生熱をセンサーで検出し、設定値以上の熱量を電源回路の開閉によりコントロールすることは可能である。
【００１０】
図３に示すごとく筒状のフオーマ１０により丸められるフイルム１２が、その内部に被包装物１６を包み込んでフオーマ内を通過とき、フオーマ下面中央のスリット２６から食み出す両側縁２７は、回転する一対のローラ１４の挟圧力を受けると同時に、誘導コイル２５の共振作用で発熱する同ローラ１４によって溶着することになる。
【００１１】
図４に示すごとくロータ１４の軸を渦巻き状に取り巻く誘導コイル２５は、支持台２４の上面において前記ローラ１４の下面と対向して同ローラを共振加熱するもので、なお該ローラは縦型ピロー包装機のフイルムセンターシーラとしても使用可能である。
【図面の簡単な説明】
【００１２】
【図１】シールローラの断面図
【図２】製袋充填包装機の平面図
【図３】図２におけるI−I線断面図
【図４】図３におけるIV−IV矢視線の部分説明図
【符号の説明】
【００１３】
１０…フオーマ
１２…帯状フイルム
１４…磁性金属製のローラ
１５…クロスシーラ
１６…被包装物
２０…機台
２１…軸受
２２…非磁性材料により形成する軸
２４…非磁性材料により形成する支持台
２５…誘導コイル
【図１】
0003113049.tif 000003
【図２】
0003113049.tif 000004
【図３】
0003113049.tif 000005
【図４】
0003113049.tif 000006